【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
地震の発生を感知する地震感知器と、
前記地震感知器により地震の発生が感知された後、走行速度が異なる複数のモードで、診断運転を実施する診断運転制御手段と、
エレベータのかごに設けられ、前記診断運転の各モードにおける前記かごの走行時に、昇降路内の音響を集音する集音手段と、
異常音と判定するための異常音基準値が、前記診断運転のモード毎に異なる値に設定された異常音基準値記憶手段と、
前記異常音基準値記憶手段に設定された前記異常音基準値に基づいて、前記診断運転の各モードにおいて、前記集音手段により集音された音響が異常音であるか否かを判定する異常音判定手段と、
前記診断運転の同一モードにおける前記かごの複数回の走行において、異常音が前記昇降路の同一位置で検出されたか否かを判定する異常音情報判定手段と、
を備えたことを特徴とするエレベータの異常検出装置。
【請求項２】
診断運転制御手段は、診断運転の各モードにおけるかごの１回目の走行において異常音判定手段により異常音が検出された場合に、同一モードにおける前記かごの２回目の走行を実施し、
異常音情報判定手段は、前記診断運転の同一モードにおける前記かごの１回目及び２回目の走行において、異常音が昇降路の同一位置で検出されたか否かを判定する
ことを特徴とする請求項１に記載のエレベータの異常検出装置。
【請求項３】
診断運転制御手段は、診断運転の各モードにおいて、かごの走行を予め設定された複数回実施し、
異常音情報判定手段は、前記診断運転の同一モードにおける前記かごの各走行において、異常音が昇降路の同一位置で検出されたか否かを判定する
ことを特徴とする請求項１に記載のエレベータの異常検出装置。
【請求項４】
異常音情報判定手段は、診断運転の同一モードにおけるかごの各走行において、異常音と判定された音響が集音された際の前記かごの昇降方向が同一で、且つ、かご位置が所定範囲内にある場合に、前記異常音が昇降路の同一位置で検出されたと判定することを特徴とする請求項１から請求項３の何れかに記載のエレベータの異常検出装置。
【請求項５】
異常音基準値記憶手段に設定された異常音基準値は、外部からの操作によって診断運転のモード毎に変更可能なことを特徴とする請求項１から請求項４の何れかに記載のエレベータの異常検出装置。
【請求項６】
診断運転の同一モードにおけるかごの複数回の走行において、異常音が昇降路の同一位置で検出されたと異常音情報判定手段により判定された場合に、外部の監視センタに対して通報するとともに、前記診断運転を中止することを特徴とする請求項１から請求項５の何れかに記載のエレベータの異常検出装置。
【請求項７】
異常音判定手段により異常音が検出されたモードにおけるかごの複数回の走行において、異常音が昇降路の同一位置で検出されなかったと異常音情報判定手段により判定された場合に、外部の監視センタに対して通報するとともに、前記診断運転を継続することを特徴とする請求項１から請求項６の何れかに記載のエレベータの異常検出装置。
【請求項８】
地震の発生を感知するステップと、
地震の発生が感知された後、走行速度が異なる複数のモードで、診断運転を実施するステップと、
前記診断運転の各モードにおいてエレベータのかごの１回目の走行を実施して、昇降路内の音響を集音するステップと、
前記診断運転のモード毎に異なる値が設定された異常音基準値に基づいて、集音された前記音響が異常音であるか否かを判定するステップと、
前記診断運転の各モードにおける前記かごの１回目の走行において異常音が検出された場合に、同一モードにおける前記かごの２回目の走行を実施するステップと、
前記診断運転の同一モードにおける前記かごの１回目及び２回目の走行において、異常音が昇降路の同一位置で検出されたか否かを判定するステップと、
を備えたことを特徴とするエレベータの異常検出方法。
【請求項９】
地震の発生を感知するステップと、
地震の発生が感知された後、走行速度が異なる複数のモードで、診断運転を実施するステップと、
前記診断運転の各モードにおいてエレベータのかごの走行を予め設定された複数回実施して、昇降路内の音響を集音するステップと、
前記診断運転のモード毎に異なる値が設定された異常音基準値に基づいて、集音された前記音響が異常音であるか否かを判定するステップと、
前記診断運転の同一モードにおける前記かごの各走行において、異常音が昇降路の同一位置で検出されたか否かを判定するステップと、
を備えたことを特徴とするエレベータの異常検出方法。
【請求項１０】
診断運転の同一モードにおけるかごの複数回の走行において、異常音が昇降路の同一位置で検出されたと判定された場合に、外部の監視センタに対して通報するとともに、前記診断運転を中止するステップを備えたことを特徴とする請求項８又は請求項９に記載のエレベータの異常検出方法。
【請求項１１】
異常音が検出されたモードにおけるかごの複数回の走行において、異常音が昇降路の同一位置で検出されなかったと判定された場合に、外部の監視センタに対して通報するとともに、前記診断運転を継続することを特徴とする請求項８から請求項１０の何れかに記載のエレベータの異常検出方法。
【手続補正２】
【補正対象書類名】明細書
【補正対象項目名】００１０
【補正方法】変更
【補正の内容】
【００１０】
この発明に係るエレベータの異常検出装置は、地震の発生を感知する地震感知器と、地震感知器により地震の発生が感知された後、走行速度が異なる複数のモードで、診断運転を実施する診断運転制御手段と、エレベータのかごに設けられ、診断運転の各モードにおけるかごの走行時に、昇降路内の音響を集音する集音手段と、異常音と判定するための異常音基準値が、診断運転のモード毎に異なる値に設定された異常音基準値記憶手段と、異常音基準値記憶手段に設定された異常音基準値に基づいて、診断運転の各モードにおいて、集音手段により集音された音響が異常音であるか否かを判定する異常音判定手段と、診断運転の同一モードにおけるかごの複数回の走行において、異常音が昇降路の同一位置で検出されたか否かを判定する異常音情報判定手段とを備えたものである。
【手続補正３】
【補正対象書類名】明細書
【補正対象項目名】００１１
【補正方法】変更
【補正の内容】
【００１１】
この発明に係るエレベータの異常検出方法は、地震の発生を感知するステップと、地震の発生が感知された後、走行速度が異なる複数のモードで、診断運転を実施するステップと、診断運転の各モードにおいてエレベータのかごの１回目の走行を実施して、昇降路内の音響を集音するステップと、診断運転のモード毎に異なる値が設定された異常音基準値に基づいて、集音された音響が異常音であるか否かを判定するステップと、診断運転の各モードにおけるかごの１回目の走行において異常音が検出された場合に、同一モードにおけるかごの２回目の走行を実施するステップと、診断運転の同一モードにおけるかごの１回目及び２回目の走行において、異常音が昇降路の同一位置で検出されたか否かを判定するステップとを備えたものである。
【手続補正４】
【補正対象書類名】明細書
【補正対象項目名】００１２
【補正方法】変更
【補正の内容】
【００１２】
また、この発明に係るエレベータの異常検出方法は、地震の発生を感知するステップと、地震の発生が感知された後、走行速度が異なる複数のモードで、診断運転を実施するステップと、診断運転の各モードにおいてエレベータのかごの走行を予め設定された複数回実施して、昇降路内の音響を集音するステップと、診断運転のモード毎に異なる値が設定された異常音基準値に基づいて、集音された音響が異常音であるか否かを判定するステップと、診断運転の同一モードにおけるかごの各走行において、異常音が昇降路の同一位置で検出されたか否かを判定するステップとを備えたものである。
【手続補正５】
【補正対象書類名】明細書
【補正対象項目名】００１３
【補正方法】変更
【補正の内容】
【００１３】
この発明によれば、地震後に実施される診断運転において、より正確に且つ確実に異常音を検出することができるようになる。